(57)【特許請求の範囲】
【請求項１】
壁又は床のような造営部に隠蔽して配管されたガス管にプラグを接続し、プラグを支持している支持体を造営部に形成した開口部に取付け、化粧カバーにソケットを挿通する窓孔を形成し、窓孔にプラグを臨ませて化粧カバーを造営部に取付けた埋込み型ガス栓の取付け構造であって、プラグを貫通して支持体の内部に沿って支持体の内外の通気を遮断する手段を設けて成ることを特徴とする埋込み型ガス栓の取付け構造。
【請求項２】
通気を遮断する手段はシート材であり、プラグを貫通したシート材を支持体の内面側に沿わせるとともにシート材の周部を支持体と化粧カバーとで挟持して成ることを特徴とする請求項１記載の埋込み型ガス栓の取付け構造。
【請求項３】
壁又は床のような造営部に隠蔽して配管されたガス管にプラグを接続し、プラグを支持している支持体を造営部に形成した開口部に取付け、化粧カバーにソケットを挿通する窓孔を形成し、窓孔にプラグを臨ませて化粧カバーを造営部に取付けた埋込み型ガス栓の取付け方法であって、ガス管に接続したプラグにシート材を貫通させてシート材を支持体の内面に沿わせて支持体の内外の通気を遮断し、その後、化粧カバーを取付けてシート材の周部を支持体と化粧カバーとで挟持することを特徴とする埋込み型ガス栓の取付け方法。
【発明の詳細な説明】
【０００１】
【発明の属する技術分野】
本発明は、埋込み型ガス栓の取付け構造及び取付け方法に関し、詳しくは、壁や床のような造営部に隠蔽して配管されたガス管に造営部に埋込み設置して接続したガス栓において、ガス栓の取付け部分からの通気を遮断しようとする技術に係るものである。
【０００２】
【従来の技術】
従来、図１０に示すように、壁又は床のような造営部に隠蔽配管したガス管１にプラグ２を造営部に埋込み設置して接続し、プラグ２を支持している支持体３を造営部に形成した開口部に取付け、化粧カバー１０にソケットを挿通する窓孔９を形成し、窓孔９にプラグを臨ませて化粧カバー１０を造営部に取付けた埋込み型ガス栓の取付け構造においては、プラグ２を支持体３の孔に挿入するようにして支持体３にプラグ２を取付けるのであり、プラグ２と支持体３との間には通気が可能な充分な隙間が存在している。
【０００３】
【発明が解決しようとする課題】
ところで、プラグ２に装着したソケットをワンタッチで外すことができるように支持体３に着脱ユニット１２を取付け、この着脱ユニット１２に開閉蓋１３を取付けて化粧カバー１０の窓孔９を閉塞する構成のものがある。しかし、着脱ユニット１２に開閉蓋１３を取付ける構成のものにおいても、開閉蓋１３の周部からの通気を遮断することができない。しかも、プラグ２にソケットを接続している開閉蓋１３の開放状態においては、壁や床側から支持体３の内部を経て通気が屋内側に流入するのであり、又、逆に室内側から壁や床外部へと流出するのである。
【０００４】
このように、従来の埋込み型ガス栓の取付け構造においては、隙間や開口部が存在して、室内と造営部内との間で空気の流通が生じるのであり、高気密、高断熱住宅における断熱性能を阻害するという問題があった。
【０００５】
本発明はこのような問題に鑑みてなされたものであり、壁や床のような造営部に隠蔽して配管されたガス管に造営部に埋込み設置して接続したガス栓において、ガス栓の取付け部分からの通気を遮断することができる埋込み型ガス栓の取付け構造及び取付け方法を提供することを課題とするものである。
【０００６】
【課題を解決するための手段】
請求項１においては、壁又は床のような造営部Ｘに隠蔽して配管されたガス管１にプラグ２を接続し、プラグ２を支持している支持体３を造営部Ｘに形成した開口部４に取付け、化粧カバー１０にソケット６を挿通する窓孔９を形成し、窓孔９にプラグ２を臨ませて化粧カバー１０を造営部Ｘに取付けた埋込み型ガス栓の取付け構造であって、プラグ２を貫通して支持体３の内部に沿って支持体３の内外の通気を遮断する手段１１を設けていることを特徴とするものである。このような構成によれば、プラグ２を貫通して支持体３の内部に沿って設けられている通気を遮断する手段１１によって支持体３の内外を遮断することができ、したがって、壁又は床のような造営部Ｘから支持体３の内部を経てプラグ２に沿うなどして室内側へと通気するのを、又、逆に室内側から造営部側への通気を阻止することができ、高気密、高断熱住宅における断熱性能を阻害することを回避できる。
【０００７】
請求項２においては、通気を遮断する手段１１はシート材Ｓであり、プラグ２を貫通したシート材Ｓを支持体３の内面側に沿わせるとともにシート材Ｓの周部を支持体３と化粧カバー１０とで挟持していることを特徴とするものである。このような構成によれば、通気を遮断する手段１１を例えばカップ状のような形状に成形することなく入手が容易でどのような形状にも沿いやすい、例えば樹脂シートを使用することができ、例えば樹脂シートをプラグ２に貫通させるという、きわめて簡単な改良でありながら、多大な効果を得ることができる。
【０００８】
請求項３においては、壁又は床のような造営部Ｘに隠蔽して配管されたガス管１にプラグ２を接続し、プラグ２を支持している支持体３を造営部Ｘに形成した開口部４に取付け、化粧カバー１０にソケット６を挿通する窓孔９を形成し、窓孔９にプラグ２を臨ませて化粧カバー１０を造営部Ｘに取付けた埋込み型ガス栓の取付け方法であって、ガス管１に接続したプラグ２にシート材Ｓを貫通させてシート材Ｓを支持体３の内面に沿わせて支持体３の内外の通気を遮断し、その後、化粧カバー１０を取付けてシート材Ｓの周部を支持体３と化粧カバー１０とで挟持することを特徴とするものである。このような構成によれば、通気を遮断する手段１１を例えばカップ状のような形状に成形することなく入手が容易でどのような形状にも沿いやすい、例えば樹脂シートを使用することができ、例えば樹脂シートをプラグ２に貫通させるという、きわめて簡単な改良でありながら、多大な効果を得ることができ、かつ、施工性を高めることができる。
【０００９】
【発明の実施の形態】
以下、本発明の実施の形態を説明する。図１は実施の一形態の分解斜視図、図２は概略断面図である。本実施の形態においては、埋込み型ガス栓Ａを壁に埋込み設置した例を示している。
【００１０】
壁１７に隠蔽して配管したガス管１の先端にプラグ２を接続する。プラグ２はガス管１に接続される基部１４に対して略９０度に曲げられていて、プラグ２の軸芯は壁面と略直交する方向になる。実施の形態においては、筒状となる支持体３の底部にコ字状の連結金具１５を取付け、連結金具１５をプラグ２の基部１４に取付けている。支持体３の先端部に形成されたフランジ１６を、例えば壁１７に形成した開口部４の周部にビス１８にて固定している。
【００１１】
プラグ２には、ガス器具（図示せず）側からのガスホース１９の先端に接続したソケット６が接続される。プラグ２とソケット６とはいわゆるカチット構造となっていて、機械的な着脱とともにガスの供給遮断をおこなう構成のものである。筒状の支持体３には着脱ユニット１２が装着されて着脱ユニット１２の開閉蓋１３の操作によってソケット６の外し操作がおこなえるようになっている。化粧カバー１０には窓孔９が形成されている。化粧カバー１０が着脱ユニット１２に嵌着されて化粧カバー１０の取付けがおこなわれて閉状態の開閉扉１３が窓孔９に臨む。
【００１２】
図３はプラグ２とソケット６との接続及び分離構造を示していて、同図（ａ）に示す分離状態からソケット６を押込むことで、押棒２０にて二つの栓体２１，２２をスプリング２３，２４に抗して後退させるとともにその反力によって押棒２０側が後退し、位置決めボール２５が突出してプラグ２側の凹溝２６に嵌入してプラグ２とソケット６の機械的な接続をおこなうとともにガスの導通を図るのである。又、操作環２７を押込むことで、位置決めボール２５をプラグ２の凹溝２６から脱出させてプラグ２からソケット６を分離して閉栓するものである。
【００１３】
図４乃至図７は着脱ユニット１２及びその動作状態を示していて、着脱ユニット１２は、開閉蓋１３側のスライドピン３９をケース体３４のスライド溝３７に挿合して開閉蓋１３を回転自在に、かつ、開閉蓋１３の開き状態において、スライドピン３９をスライド溝３７に沿ってスライド移動させて開閉蓋１３を押し込み移動を可能にしてあり、この開閉蓋１３の押し込み移動によって（図７参照）、ソケット６の操作環２７を押し込み移動させてソケット６の外し操作をおこなうようにしたものである。この場合、ガイド３８によって開閉蓋１３のスライド移動が良好に支持される。
【００１４】
又、ケース体３４側の軸３５と開閉蓋１３の軸３６とにわたってスプリング４０が架設され、軸３５と軸３６とを結ぶ線がスライドピン３９の位置を越えることで、開閉蓋１３の閉じ姿勢［図４参照］、及び開き姿勢［図５参照］を維持することができようにしている。このような、プラグ２とソケット５とで構成するいわゆるカチット構造及び着脱ユニット１２の構成は既知である。
【００１５】
本発明は、図１に示すように、樹脂シートのシート材Ｓを通気を遮断する手段１１とし、シート材Ｓをプラグ２に貫通させてシート材Ｓを支持体３の内面側に沿わせて支持体３の内外の通気を遮断するのであり、シート材Ｓの周部を支持体３と化粧カバー１０とで挟持するのである。この場合、樹脂シートは透明なものが好ましい。
【００１６】
このような構成によれば、プラグ２を貫通して支持体３の内部に沿って設けられている通気を遮断する手段１１によって支持体３の内外を遮断するのであり、壁又は床のような造営部Ｘから支持体３の内部を経てプラグ２に沿うなどして室内側へと通気するのを、又、逆に室内側から造営部Ｘ側への通気を阻止することができ、高気密、高断熱住宅における断熱性能を阻害することを回避するのである。
【００１７】
更に、通気を遮断する手段１１はシート材Ｓであって、プラグ１を貫通したシート材Ｓを支持体３の内面側に沿わせるとともにシート材Ｓの周部を支持体３と化粧カバー１０とで挟持しているのであり、通気を遮断する手段１１を例えばカップ状のような形状に成形することなく入手が容易でどのような形状にも沿いやすい、例えば樹脂シートを使用することができ、例えば樹脂シートをプラグ２に貫通させるという、きわめて簡単な改良でありながら、多大な効果を得ることができるものである。
【００１８】
尚、本実施の形態においては、埋込み型ガス栓Ａを壁に埋込み設置したが、床に埋込み設置してもよいものである。
【００１９】
又、本発明の実施の形態においては、着脱ユニット１２を使用したが、着脱ユニット１２が存在しない埋込み型ガス栓Ａに本発明を実施することができるものである。
【００２０】
又、着脱ユニット１２には、開閉蓋１３がないものでもよく、例えば、図８に示すように、プラグ２にソケット６を接続すると、着脱リング４１が突出し、着脱リング４１を押し込むと操作環２７を押し込み操作してソケット６を外すような構成のものでもよい。ところで、この場合、電気コンセント４２に接続されている電線を本発明の樹脂シートＳが挿通するようにして電気コンセント４２側においても本発明のような構造にしてもよいものである。図９は更に他の実施の形態を示し、着脱リング４１を備えた埋込み型ガス栓Ａと二連の電気コンセント４２を並置したものであり、同図（ｂ）は着脱リング４１を備えた埋込み型ガス栓Ａのみのものであり、同図（ｃ）は着脱リング４１を備えた埋込み型ガス栓Ａを並置したものである。このように、本発明の埋込み型ガス栓Ａの形態並びに設置形態は種々設計変更可能である。
【００２１】
【発明の効果】
請求項１においては、壁又は床のような造営部に隠蔽して配管されたガス管にプラグを接続し、プラグを支持している支持体を造営部に形成した開口部に取付け、化粧カバーにソケットを挿通する窓孔を形成し、窓孔にプラグを臨ませて化粧カバーを造営部に取付けた埋込み型ガス栓の取付け構造であって、プラグを貫通して支持体の内部に沿って支持体の内外の通気を遮断する手段を設けているから、プラグを貫通して支持体の内部に沿って設けられている通気を遮断する手段によって支持体の内外を遮断することができ、したがって、壁又は床のような造営部から支持体の内部を経てプラグに沿うなどして室内側へと通気するのを、又、逆に室内側から造営部側への通気を阻止することができ、高気密、高断熱住宅における断熱性能を阻害することを回避できるという利点がある。
【００２２】
請求項２においては、通気を遮断する手段はシート材であり、プラグを貫通したシート材を支持体の内面側に沿わせるとともにシート材の周部を支持体と化粧カバーとで挟持しているから、請求項１の効果に加えて、通気を遮断する手段を例えばカップ状のような形状に成形することなく入手が容易でどのような形状にも沿いやすい、例えば樹脂シートを使用することができ、例えば樹脂シートをプラグに貫通させるという、きわめて簡単な改良でありながら、多大な効果を得ることができるという利点がある。
【００２３】
請求項３においては、壁又は床のような造営部に隠蔽して配管されたガス管にプラグを接続し、プラグを支持している支持体を造営部に形成した開口部に取付け、化粧カバーにソケットを挿通する窓孔を形成し、窓孔にプラグを臨ませて化粧カバーを造営部に取付けた埋込み型ガス栓の取付け方法であって、ガス管に接続したプラグにシート材を貫通させてシート材を支持体の内面に沿わせて支持体の内外の通気を遮断し、その後、化粧カバーを取付けてシート材の周部を支持体と化粧カバーとで挟持するから、通気を遮断する手段を例えばカップ状のような形状に成形することなく入手が容易でどのような形状にも沿いやすい、例えば樹脂シートを使用することができ、例えば樹脂シートをプラグに貫通させるという、きわめて簡単な改良でありながら、多大な効果を得ることができ、かつ、施工性を高めることができるという利点がある。
【図面の簡単な説明】
【図１】本発明の実施の一形態を示し、（ａ）は分解斜視図、（ｂ）は通気を遮断する手段の斜視図である。
【図２】同上の概略断面図である。
【図３】同上のプラグとソケットとの接続構造を示し、（ａ）は接続前の断面図、（ｂ）は接続後の断面図である。
【図４】同上の着脱ユニットを支持体に組み込むとともにシート材を装着し、開閉蓋の閉じ状態を示す斜視図である。
【図５】同上の着脱ユニットを支持体に組み込むとともにシート材を装着し、開閉蓋の開き状態を示す斜視図である。
【図６】同上の着脱ユニットを示し、（ａ）は開閉蓋の閉じ状態の側面図、（ｂ）は開き状態の側面図である。
【図７】同上の着脱ユニットの開閉蓋の押し込み状態の斜視図である。
【図８】同上の他の実施の形態を示し、（ａ）はソケットを接続する前の斜視図、（ｂ）はソケットを接続した斜視図である。
【図９】（ａ）（ｂ）（ｃ）は同上の更に他の実施の形態を示す斜視図である。
【図１０】従来例の分解斜視図である。
【符号の説明】
１    ガス管
２    プラグ
３    支持体
４    開口部
９    窓孔
１０  化粧カバー
１１  通気を遮断する手段
Ｘ    造営部
Ｓ    シート材
【図１】
0003917776.tif 000002
【図２】
0003917776.tif 000003
【図３】
0003917776.tif 000004
【図４】
0003917776.tif 000005
【図５】
0003917776.tif 000006
【図６】
0003917776.tif 000007
【図７】
0003917776.tif 000008
【図８】
0003917776.tif 000009
【図９】
0003917776.tif 000010
【図１０】
0003917776.tif 000011